(57)【特許請求の範囲】
【請求項１】
脚によって支持された胴部を有し、この胴部の下部に機器類、配線類を収納する収納部を設け、上部に配線類の導入口または差込口を有する凹所を設け、該凹所の上方を覆う天板を、凹所の上端に近接する下方位置と、それより上方の上方位置との間を上下移動可能としたことを特徴とする配線ターミナル装置。
【請求項２】
天板を下方位置と上方位置とにおいて下降しないように係止しうるとともに、天板の下方位置から上方位置への移動を許容し、天板を上方位置からさらに若干上昇させることにより、係止可能状態が解除されて天板の上方位置から下方位置への移動を可能とする係止手段が設けられた請求項１記載の配線ターミナル装置。
【請求項３】
係止手段が、
前記凹所を形成する上板に貫設され、かつ外周壁における下端部を含む上下方向の複数箇所に、互いに対向する１対の係合孔が穿設された上下方向を向く有底筒体と、
天板の下面より垂下して、前記筒体内に上方より挿入された支杆の下端部に、第１の角部が水平の軸をもって枢着され、鋭角をなす第２の角部が支杆より外側方に突出して各係合孔の下縁に係合し、かつ第３の角部の一側縁が支杆の内側面に当接して、支杆の下降を阻止する係止位置と、第２の角部が筒体の内面より内方に位置して、支杆の上下動を許容する通過位置と、第２の角部がさらに内方に寄るが、前記軸よりは外側方に位置し、かつ第３の角部の他側縁が筒体における前記内面と対向する内面に当接する解除位置とに回動可能としたほぼ三角形をなす１対の係止片と、
各係止片を、通過位置と解除位置との中間位置を死点として、それより係止位置側に位置しているときは係止位置方向に、またそれより解除位置側に位置しているときは解除位置方向へ付勢する付勢方向反転式の付勢手段と、
前記筒体の上部に設けられ、前記支杆の上昇により、各係止片の第２の角部の上縁に摺接して、各係止片を解除位置へ回動させる解除部材とを備えている請求項２記載の配線ターミナル装置。
【請求項４】
付勢手段を、１対の係止片における中間位置としたときに軸と等高かつ等距離をなす部位に各端末が止着され、それらの両止着点を互いに近接する方向に付勢する捩りコイルばねとした請求項３記載の配線ターミナル装置。
【請求項５】
１対の係止片を、同一の軸をもって支杆に枢着した請求項３または４記載の配線ターミナル装置。
【発明の詳細な説明】
【０００１】
【発明の属する技術分野】
本発明は、給電線、電話線、コンピュータ用の信号線等の配線の収容及び接続等を図るための配線ターミナル装置に関する。
【０００２】
【従来の技術】
従来、デスク等の脇に設置して、デスク上の情報機器類への配線を行う配線ボックスは知られている。
【０００３】
【発明が解決しようとする課題】
しかし、このような従来の配線ボックスでは、情報機器類への配線を行う際や、配線替えを行う際に、手を深く差し入れたり、引き出してこれを行ったりしなければならず、その作業が面倒なものが多い。ことに多くの配線類を収容する場合、配線が交錯して乱雑となり、かつ配線替えが簡単にできない。
【０００４】
本発明は、従来の技術が有する上記のような問題点に鑑み、配線等を体裁よく収容し、かつ配線の接続を容易に行うことができるようにした配線ターミナル装置を提供することを目的としている。
【０００５】
【課題を解決するための手段】
本発明によると、上記課題は、次のようにして解決される。
(１)  脚によって支持された胴部を有し、この胴部の下部に機器類、配線類を収納する収納部を設け、上部に配線類の導入口または差込口を有する凹所を設け、該凹所の上方を覆う天板を、凹所の上端に近接する下方位置と、それより上方の上方位置との間を上下移動可能とする。
【０００６】
(２)  上記(１)項において、天板を下方位置と上方位置とにおいて下降しないように係止しうるとともに、天板の下方位置から上方位置への移動を許容し、天板を上方位置からさらに若干上昇させることにより、係止可能状態が解除されて天板の上方位置から下方位置への移動を可能とする係止手段を設ける。
【０００７】
(３)  上記(２)項において、係止手段が、前記凹所を形成する上板に貫設され、かつ外周壁における下端部を含む上下方向の複数箇所に、互いに対向する１対の係合孔が穿設された上下方向を向く有底筒体と、天板の下面より垂下して、前記筒体内に上方より挿入された支杆の下端部に、第１の角部が水平の軸をもって枢着され、鋭角をなす第２の角部が支杆より外側方に突出して各係合孔の下縁に係合し、かつ第３の角部の一側縁が支杆の内側面に当接して、支杆の下降を阻止する係止位置と、第２の角部が筒体の内面より内方に位置して、支杆の上下動を許容する通過位置と、第２の角部がさらに内方に寄るが、前記軸よりは外側方に位置し、かつ第３の角部の他側縁が筒体における前記内面と対向する内面に当接する解除位置とに回動可能としたほぼ三角形をなす１対の係止片と、各係止片を、通過位置と解除位置との中間位置を死点として、それより係止位置側に位置しているときは係止位置方向に、またそれより解除位置側に位置しているときは解除位置方向へ付勢する付勢方向反転式の付勢手段と、前記筒体の上部に設けられ、前記支杆の上昇により、各係止片の第２の角部の上縁に摺接して、各係止片を解除位置へ回動させる解除部材とを備えるものとする。
【０００８】
(４)  上記(３)項において、付勢手段を、１対の係止片における中間位置としたときに軸と等高かつ等距離をなす部位に各端末が止着され、それらの両止着点を互いに近接する方向に付勢する捩りコイルばねとする。
【０００９】
(５)  上記(３)または(４)項において、１対の係止片を、同一の軸をもって支杆に枢着する。
【００１０】
【発明の実施の形態】
図１は、本発明の一実施形態の平面図であり、図２は、その正面図である。この配線ターミナル装置は、４本の脚柱(１)を有し、相隣る脚柱(１)間には円弧状の保護カバー(２)が着脱自在に取り付けられ、全体でおおよそ円筒形の胴部(３)を形成している。
【００１１】
脚柱(１)の下端には、キャスター(４)付きの脚(５)が設けられているが、所望によってはキャスターとせず、固定脚としてもよい。
【００１２】
胴部(３)の上方には、下面中央に角管よりなる支杆(７)が固着された円形の天板(６)が配設されている。
【００１３】
図３及び図４は、胴部(３)内の詳細構造を示す図である。これらの図に示されているように、４本の脚柱(１)は、その上部において、対向するもの同士を交叉梁(８)により連結され、その下部において、隣接するもの同士を横梁(９)により連結され、強固な構造体を形成している。
【００１４】
上部の交叉梁(８)が交叉する中央には、上下方向に延びる円形の有底筒体(10)が固着されている。筒体(10)内には、天板(６)を支持する支杆(７)が上下移動可能として嵌挿されている。
【００１５】
上部の交叉梁(８)の上面には、中央を上記筒体(10)が貫通する凹所(10a)を形成するように浅い有底円筒状に成形された上板(11)が固着されており、下部の横梁(９)の上面には、機器類、配線類の収納部(12a)を形成する支持板(12)が固着されている。
【００１６】
上板(11)には、情報機器の配線等のための４個の導入口(13)が設けられている。このいずれかの導入口(13)に、電源用コンセント(13a)、電話線用接続プラグ（図示略）、または信号線用のケーブルコネクタ（図示略）等を装着することにより、差込口(13b)とすることもある。
【００１７】
相隣る脚柱(１)間に取り外し可能に取り付けられた保護カバー(２)は、横断面円弧状の板である。
【００１８】
天板(６)は、図４に実線で示すように、上板(11)における凹所(11a)の上端に近接し、かつ外周縁と凹所(11a)の上端の内周縁との間に配線等挿通用の環状の隙間(Ｓ)を形成する下方位置と、それより上方に位置する図４に想像線で示すような上方位置と、さらに、後述するようなそれ以上の位置との間を上下移動可能である。
【００１９】
天板(６)を、下方位置と上方位置とにおいて下降しないように係止しうるとともに、天板(６)の下方位置から上方位置への移動を許容し、天板(６)を上方位置からさらに若干上昇させることにより、係止可能状態が解除されて天板(６)の上方位置から下方位置への移動を可能とするため、係止手段(14)が設けられている。
【００２０】
この係止手段(14)は、上記筒体(10)と、支杆(７)の下端より垂下する前後１対の垂下片(7a)(7a)間に、直角をなす第１の角部(15a)が前後方向を向く共通の軸(16)をもって互いに左右逆向きとして枢着されたほぼ直角二等辺三角形状の１対の係止片(15)と、付勢手段(17)と、解除部材(18)とを備えている。
【００２１】
筒体(10)の外周壁における下端部を含む上下２箇所には、互いに対向する上下方向に長いスリット状の１対ずつの係合孔(19)(20)が穿設されている。
【００２２】
各係止片(15)は、図６及び図７に実線で示すように、鋭角をなす第２の角部(15b)が支杆(７)より外側方に突出して各係合孔(19)(20)の下縁に係合し、かつ上方を向く第３の角部(15c)の外側の縁が支杆の内側面に当接して、支杆(７)の下降を阻止する係止位置と、図７に想像線で示すように、第２の角部(15b)が筒体(10)の内面より内方に位置して、支杆(７)の上下動を許容する通過位置と、図８に示すように、第２の角部(15b)がさらに内方に寄るが、軸(16)の中心よりは外側方に位置し、かつ第３の角部(15c)の内側の縁が筒体(10)における上記の内面と対向する内面に当接する解除位置とに回動可能である。
【００２３】
付勢手段(17)は、各係止片(15)を、上記の通過位置と解除位置との中間位置を死点として、それより係止位置側に位置しているときは係止位置方向に、またそれより解除位置側に位置しているときは解除位置方向へ付勢する付勢方向反転式のもので、この実施形態では、１対の係止片(15)における中間位置としたときに軸(16)と等高かつ等距離をなす部位に各端末(17a)が止着され、それらの両止着点を互いに接近する方向に付勢する捩りコイルばねとしてある。
【００２４】
したがって、両係止片(15)は、付勢手段(17)により、両止着点が軸(16)より上方に位置している図６、及び図７に示す係止位置及び通過位置に位置しているときは、第２の角部(15b)が互いに離れる方向に付勢され、両止着点が軸(16)より下方に位置している図８に示す解除位置に位置しているときだけ、第２の角部(15b)が互いに接近する方向に付勢される。
【００２５】
解除部材(18)は、筒体(10)の上部に固嵌され、かつ下端中央に凹入部(18a)を有し、支杆(７)の上方位置より上方への上昇により、凹入部(18a)の下端開口縁が各係止片(15)の第２の角部(15b)の上縁に摺接して、各係止片(15)を解除位置へ回動させる作用をする。
【００２６】
次に、天板(６)の上下調節の要領及びそのときの作用を、主として図６〜図８を参照して説明する。
図４及び図６に示す下方位置では、天板(６)の外周縁と上板(11)の内周縁との間には環状の隙間(Ｓ)が形成されており、この下方位置にあっては、係止片(15)は筒体(10)の底壁(10a)に当接して支持され、係合孔(20)から外方に張り出している。
【００２７】
この状態から、天板(６)を持ち上げると、これに連結されている支杆(７)も上方に移動し、両係止片(15)の第２の角部(15b)の上縁が係合孔(20)の上縁に当接して、図７に想像線で示す通過位置まで回動させられた後、第２の角部(15b)が筒体(10)の内面に沿って上方に摺動し、図７に実線で示す上方位置に達すると、付勢手段(17)の付勢力により、両係止片(15)の第２の角部(15b)が上方の係合孔(19)内に突入し、その後天板(６)から手を離すと、第２の角部(15b)が上方の係合孔(19)の下縁に係合した状態で、天板(６)は上方位置で確実に係止される。
【００２８】
この上方位置から天板(６)を再び下方位置に戻すには、図７の係止状態から、一旦天板(６)とともに、支杆(７)を上方に引き上げる。それによって、両係止片(15)の第２の角部(15b)の上縁が解除部材(18)の下端開口縁に当接して、両係止片(15)が解除位置に回動させられて、解除部材(18)の凹入部(18a)内に進入し、その後そのままの状態で、天板(６)を下降させると、両係止片(15)は、付勢手段(17)の付勢力により、解除位置の状態を維持したまま、第２の角部(15b)が上方の係合孔(19)に係合することなく下降させられ、そのときの下端となっている第２の角部(15b)が筒体(10)の底壁(10a)の上面に当接すると、両係止片(15)は、係止位置まで回動させられて、図６に示す元の係止状態に復帰させられ、天板(６)は、当初の下方位置に安定して保持される。
【００２９】
上述した実施形態においては、筒体(10)の上下２箇所に係合孔(19)(20)を設けて、天板(６)を上方位置と下方位置との上下２箇所において係止可能としたが、筒体(10)の外周壁における上下方向の３箇所以上に、係合孔(19)(20)と同様の係合孔を設ければ、天板(６)を上下方向の３箇所以上において係止可能とすることができる。
【００３０】
また、各係止片(15)が係止位置に達したとき、第３の角部(15c)の一側縁が支杆(７)の内側面に当接する代わりに、第２の角部(15b)と第３の角部(15c)とを結ぶ斜辺の中間部に設けた段部が支杆(７)の左右の下端縁に当接するようにしてもよい。
【００３１】
【発明の効果】
請求項１記載の発明によると、天板を下方位置に降ろすことにより、配線類を隠し体裁をよくし、上方位置に持ち上げることにより、配線類の接続を容易に行うことができる。
【００３２】
請求項２記載の発明によると、天板の上下位置への移動、係止を、何等のわずらわしい操作を行うことなく、天板を持ち上げたり、持ち上げて降ろすという単純な動作により、簡単に行うことができる。
【００３３】
請求項３記載の発明によると、係止手段を、構造が簡単で、かつ確実に作動することができる安全性の高いものとすることができる。
【００３４】
請求項４記載の発明によると、付勢手段を、簡単な構造のものとすることができ、製造コストを低減することができる。
【００３５】
請求項５記載の発明によると、構造をさらに簡素化できるとともに、部品点数を削減することができる。
【図面の簡単な説明】
【図１】本発明の一実施形態の平面図である。
【図２】同じく、正面図である。
【図３】同じく、その胴部の上部の拡大横断平面図である。
【図４】同じく、図３のIV−IV線に沿う拡大縦断側面図である。
【図５】同じく、その胴部の筒体及び支杆の拡大横断平面図である。
【図６】同じく、図５のVI−VI線に沿う拡大縦断正面図である。
【図７】同じく、天板を上方位置まで引き上げたときの図６と同様の部分の拡大縦断正面図である。
【図８】同じく、天板を上方位置よりさらに引き上げたときの図６と同様の部分の拡大縦断正面図である。
【符号の説明】
(１)脚柱
(２)保護カバー
(３)胴部
(４)キャスター
(５)脚
(６)天板
(７)支杆
(7a)垂下片
(８)交叉梁
(９)横梁
(10)筒体
(10a)底壁
(11)上板
(11a)凹所
(12)支持板
(12a)収納部
(13)導入口
(13a)コンセント
(13b)差込口
(14)係止手段
(15)係止片
(15a)第１の角部
(15b)第２の角部
(15c)第３の角部
(16)軸
(17)付勢手段(コイルばね)
(17a)端末
(18)解除部材
(18a)凹入部
(19)(20)係合孔
(Ｓ)隙間
【図１】
0004166935.tif 000002
【図２】
0004166935.tif 000003
【図３】
0004166935.tif 000004
【図４】
0004166935.tif 000005
【図５】
0004166935.tif 000006
【図６】
0004166935.tif 000007
【図７】
0004166935.tif 000008
【図８】
0004166935.tif 000009